(57)【要約】      （修正有）【課題】背中にスライドファスナーのある衣服を、所謂四十肩、五十肩の人や高齢者等でも補助者の助けを借りることなく独力で着脱できるための、スライドファスナー開閉用補助具を開発する。未使用時にはコンパクトに折畳んで小振りのハンドバッグにも簡単に収容できるものとする。【解決手段】衣服のスライドファスナーのスライダーの把手部分に繋着される繋着部３と、展開折畳み自在で全体の長さが可変である連成部２と、折畳まれた状態の連成部を収納できる収容部４から構成され、連成部の至端に繋着部が連結されているスライドファスナー開閉用補助具１を提供する。【選択図】図１
2006280847.tif 000002
【特許請求の範囲】
【請求項１】
衣服のスライドファスナーのスライダーの把手部分に繋着される繋着部と、展開折畳み自在で全体の長さが可変である連成部と、折畳まれた状態の連成部を収納できる収容部から構成され、連成部の至端に繋着部が連結されていることを特徴とするスライドファスナー開閉用補助具。
【請求項２】
繋着部が衣服のスライドファスナーのスライダーあるいはスライダーの把手部分に設けられた孔に挿入繋着可能な鉤状に構成されていることを特徴とする請求項１に記載のスライドファスナー開閉用補助具。
【請求項３】
連成部が複数のユニットを相互に回動自在に連結して構成されており、連成部を折畳んだ状態で複数のユニットが全て重なって連成部の全体が積層体として収容部に収容されることを特徴とする請求項１あるいは請求項２に記載のスライドファスナー開閉用補助具。  
【請求項４】
収容部の側面の一部に収容部開閉機構が設けられて開閉自在に構成され、該収容部開閉機構により収容部の上板と下板が収容部の側面の収容部開閉機構が設けられていない部分を蝶番として開かれ、折畳まれた状態で収容部に収容されている連成部を簡単に展開し、あるいは展開されていた連成部を簡単に折畳んで収容できることを特徴とする請求項１あるいは請求項２あるいは請求項３に記載のスライドファスナー開閉用補助具。
【請求項５】
収容部開閉機構がスライドファスナーであり、該スライドファスナーが収容部側面の半分以上に亘って設けられていることを特徴とする請求項４に記載のスライドファスナー開閉用補助具。
【発明の詳細な説明】
【技術分野】
【０００１】
本発明は、衣服、とくに女性のドレスの一種に見られるように、背中の部分に開閉用のスライドファスナーが設けられている衣服において、該衣服の背中の部分の開閉用のスライドファスナーを着用者自身が操作する際に、障害や加齢等により手が背中に回しにくくなり、ファスナーの開閉に困難をきたす場合に、着用者自身がファスナーの開閉用補助具として用いる、衣服のスライドファスナーのスライダーあるいはスライダーの把手部分に繋着される繋着部と、展開折畳み自在で全体の長さが可変である連成部と、折畳まれた状態の連成部を収納できる収容部から構成され、連成部の至端に繋着部が連結されていることを特徴とするスライドファスナー開閉用補助具に関するものである。
【背景技術】
【０００２】
衣服、特に女性用のドレスの一部には、図６ａに見るように、背中の部分にスライドファスナーＳＦが設けられているものが多く見受けられる。しかるに、この背中の部分のスライドファスナーＳＦの開閉が、所謂四十肩、五十肩と呼称される肩部分の疾患に罹患して肩及び腕の運動に支障をきたすようになった人々、あるいは加齢やその他の障害によりやはり肩及び腕の運動に支障をきたすようになった人々にとっては非常な困難を伴い、一人ではどうしてもスライドファスナーＳＦの開閉が行えず、他者の補助を必要とする場合も多々生じている。
【０００３】
図６ａ〜図６ｆは上記事情を説明図と模式図によって説明するものである。まず、図６ａはドレス型の衣服Ｄを着込んで、最後に背中の部分のスライドファスナーＳＦのスライダーＳの把手部分Ｓｈを右手で掴み、スライダーＳを引き上げてスライドファスナーＳＦを閉じようとしているところである。所謂四十肩、五十肩の人や高齢者でも、殆どの人はスライダーＳが最下位置にあるこの状態では、比較的楽に把手部分Ｓｈに手が届く。
【０００４】
次に、図６ｃは、スライダーＳをやや上位に引き上げた状態であるが、所謂四十肩、五十肩の人や高齢者等では、この状態でもう手がスライダーＳの取手部分Ｓｈに届かなくなり、これ以上の引き上げを断念せざるを得なくなる。無理に引き上げようとすれば肩や上腕部に激痛が走るので、多くの人はここで断念して、これ以降の引き上げは補助者に依頼することとなる。補助者が見つからなかった場合は、衣服Ｄの着用を断念して背中にスライドファスナーのない別の衣服を捜す羽目となる。
【０００５】
図６ｅは、図６ｃに示すスライダーＳの中間位置からの引き上げをなんとか克服して、スライダーＳを最上位置にまで引き上げることのできた場合を示している。このスライダーＳの最上位置にては、スライダーＳの把手部分Ｓｈに再び手が届くようになるので、最後の段階の引き上げは比較的楽な作業となる。すなわち、引き上げに困難を極めるのは図６ｃに示すようにスライダーＳが中間位置にあるときのみで、最下位置あるいは最上位置にある場合には、所謂四十肩、五十肩の人や高齢者等でもスライダーＳの把手部分Ｓｈに比較的楽に手が届くのである。
【０００６】
この事情を、図６ｂ、図６ｄ、図６ｆの模式図を用いて説明する。図６ｂは図６ａの状態を模式図にて示したもので、ｋは肩、ｈｊは肘、ａ１は上腕、ａ２は下腕、ｐは手、ｃは上体の中心線、ｄ１は中心線ｃから肩ｋまでの距離（即ち肩幅の半分）を表している。この状態では、肩ｋを中心として回動する上腕が垂直線となす角度θ１が４５°以下の鋭角になるので、肘ｈｊの位置を上体に近いところに位置させることができ、従って肘ｈｊから伸びる下腕ａ２と手ｐも中心線ｃに接近させることが可能となる。
【０００７】
しかるに、図６ｃに示す状態、すなわち、スライダーＳが中間位置にある状態で手ｐを中心線ｃに接近させようとしているところを図６ｄに模式的に示す。この状態で、上腕ａ２が垂直線と作る角度θ１は略９０°に近い角度となり、肘ｈｊは上体から最も遠のく。これにより、必然的に下腕ａ２と手ｐも中心線ｃから離れることになる。つまり、図６ｃに示すように手がスライダーＳの把手部分Ｓｈを掴むことが不可能となってしまう。
【０００８】
図６ｅのようにスライダーＳが最上位置にきたところを模式的に示したのが図６ｆである。図６ｆでは、角度θ１は再び４５°以下の鋭角となり、それに加うるに、上腕ａ１を身体の前方に向けることができるようになり、肩ｋも前方に出る。この効果により肩ｋから中心線ｃまでの距離は縮小されてｄ２となり、これが角度θ１が４５°以下となった効果に加わって、下腕ａ２と手ｐは図６ｄに示す状態よりはるかに楽に中心線ｃに接近させ得るのである。
【０００９】
したがって、背中にスライドファスナーＳＦのある衣服Ｄの着脱において最も困難を感じるのは、スライダーＳが中間位置にあるときであり、スライダーＳが最下位置あるいは最上位置にある場合には問題なくスライダーＳの把手部分Ｓｈに手が届くということが言える。ゆえに、このスライダーＳが中間位置にあるときを克服すれば、所謂四十肩、五十肩の人や高齢者等でも背中にスライドファスナーＳＦのある衣服Ｄを補助者の助けを借りることなく独力で着脱できるということになるのである。
【００１０】
背中にスライドファスナーのある衣服は、その独特の意匠上の魅力から、女性にとってはやはり何歳になっても身に着けたい衣装の一つである。しかるに、所謂四十肩、五十肩や高齢等からスライドファスナーが一人で開閉できないという理由だけで着用を諦めなければならない現状は、非常に残念至極であり、これを克服できる手段の開発は、世の多くの女性層に待ち望まれているものであるとの確信から、本発明の開発に着手したものである。
【００１１】
本発明の開発にあたって先行技術調査を行ったが、叙上のような視点から背中にスライドファスナーのある衣服のスライドファスナーの開閉を補助する発明・考案は発見できなかった。下記に示す特許文献１の「スライドファスナー用スライダーの引手取付機構」は、単にスライダーのクランパーに引手を連結及び離脱させる着脱操作が簡易に行え、かつ安定した連結が可能であるというものにすぎないし、また、特許文献２の「スライドファスナー用スライダーの引手連結具」は、丸紐などの紐体を用いた引手を簡単にスライダー胴体に装着できる引手連結具を提供するというものにすぎない。この両者は、いずれも、本発明の目的である「背中にスライドファスナーのある衣服を所謂四十肩、五十肩の人や高齢者等でも補助者の助けを借りることなく独力で着脱できる」ということを達成できないものである。
【００１２】
例えば、特許文献１の「スライドファスナー用スライダーの引手取付機構」において、引手（図６ｃの把手部分Ｓｈに相当）を通常の引手の十倍以上の長さのものとすれば、図６ｃ、図６ｄのスライダーＳが中間位置にある場合にても、該引手を掴んでスライダーＳを引き上げることは可能かもしれない。しかしながら、引手即ち図６ｃの把手部分Ｓｈが以上に長い場合には衣服Ｄの外見が異様なものとなるので、実際に着用して衆目の集まる場所に出掛けるということは不可能である。また、該引手は剛性の棒状体となるので、極めて操作しづらいものである。
【００１３】
また、特許文献１では引手の着脱が容易である旨謳われているものの、明細書中に記載された機構にては、要部を目視して着脱を行うことが必要であり、背中に回した手先の感触のみを頼りに着脱を行うのは容易ではないことは想像に難くない。よしんば着脱できたとしても、今度はスライダーから取り外した異常に長い引手を収納する場所がなくて困る。外出先にて衣服の着脱を行う可能性がゼロであれば家に置いて出れば良いが、外出先にて衣服の着脱を行う可能性が皆無ではないことを考えると携行したいところである。しかし、異常に長い引手は、例えば女性用の小振りのハンドバッグには納まりきらない。特に、背中にスライドファスナーのある衣服を着用して出掛ける場合には携行品は小振りのハンドバッグ一つという場合が多いので、この小振りのハンドバッグに収容可能なものでなければ実用的とは言い難いものである。
【００１４】
また、特許文献２の「スライドファスナー用スライダーの引手連結具」は、スライダー胴体に連結環と連結具を介して紐体を装着する構成であるので、該紐体を延長の長いものとすれば、図６ｃ、図６ｄのスライダーＳが中間位置にある場合にても、該紐体を掴んでスライダーＳを引き上げることは可能といえる。しかしながら、該紐体の着脱もやはり背中に回した手指の感触のみで行えるものではないので、着用者は背中のスライダーＳから長く垂れた紐を衆目に晒す結果となってしまう。
【００１５】
あるいは、仮に紐体の着脱に成功したとしても、今度はその長い紐体を小振りのハンドバックに収容するという問題が残されている。紐体である以上、特許文献１の引手を異常に長くしたものよりも収容は当然楽であるが、紐体のままではハンドバック内部で他の小物に絡んだりするので、紐体を巻き取って収容する特殊なケースを考えなくてはならないということになる。したがって、下記特許文献１、２の発明は、いずれも本発明における目的を達成するために用いることはできないものであるといわざるを得ないのである。
【特許文献１】特開平８‐６６２０７号公報
【特許文献２】特開平１１‐１０３９１１号公報
【発明の開示】
【発明が解決しようとする課題】
【００１６】
叙上により、本発明の解決すべき課題を以下のとおりに設定した。
＜課題１＞
背中にスライドファスナーのある衣服を、所謂四十肩、五十肩の人や高齢者等でも補助者の助けを借りることなく独力で着脱できるための、スライドファスナー開閉用補助具を開発する。
＜課題２＞
該スライドファスナー開閉用補助具においては、衣服の着用者が、背中に手を回した状態で、スライドファスナーのスライダーあるいはスライダーの把手部分に手指の感触のみで簡単に着脱できるものであること。
＜課題３＞
該スライドファスナー開閉用補助具においては、特にスライドファスナーのスライダーが中間位置にある場合に、手からスライダーまでの乖離距離を十分に補足するだけの延長が必要である。
＜課題４＞
しかも、乖離距離を十分に補足するだけの延長があっても剛性のものでは極めて操作がしづらいので、撓みや曲折に耐えていかなる操作状況にも柔軟に対応できるだけの可撓性が必要である。
＜課題５＞
該スライドファスナー開閉用補助具においては、未使用時にはコンパクトに折畳んで小振りのハンドバッグにも簡単に収容できるサイズのものとならねばならない。さらに、その際、紐のように他の小物と絡む懼れがあるものは採用できない。また、軽量である必要があるのは当然である。
＜課題６＞
さらに望むべくは、略女性専用の補助具となるので、意匠的にも洗練され、例えば洗面所等にて小振りのハンドバッグから取り出しても衆目に違和感を与えないような構成のものが好ましい。
【課題を解決するための手段】
【００１７】
本発明は、上記課題を解決するためになされたものであって、以下の解決手段を提供するものである。
＜解決手段１＞
衣服のスライドファスナーのスライダーの把手部分に繋着される繋着部と、展開折畳み自在で全体の長さが可変である連成部と、折畳まれた状態の連成部を収納できる収容部から構成され、連成部の至端に繋着部が連結されていることを特徴とするスライドファスナー開閉用補助具。
＜解決手段２＞
繋着部が衣服のスライドファスナーのスライダーあるいはスライダーの把手部分に設けられた孔に挿入繋着可能な鉤状に構成されていることを特徴とする解決手段１に記載のスライドファスナー開閉用補助具。
＜解決手段３＞
連成部が複数のユニットを相互に回動自在に連結して構成されており、連成部を折畳んだ状態で複数のユニットが全て重なって連成部の全体が積層体として収容部に収容されることを特徴とする解決手段１あるいは解決手段２に記載のスライドファスナー開閉用補助具。  
＜解決手段４＞
収容部の側面の一部に収容部開閉機構が設けられて開閉自在に構成され、該収容部開閉機構により収容部の上板と下板が収容部の側面の収容部開閉機構が設けられていない部分を蝶番として開かれ、折畳まれた状態で収容部に収容されている連成部を簡単に展開し、あるいは展開されていた連成部を簡単に折畳んで収容できることを特徴とする解決手段１あるいは解決手段２あるいは解決手段３に記載のスライドファスナー開閉用補助具。
＜解決手段５＞
収容部開閉機構がスライドファスナーであり、該スライドファスナーが収容部側面の半分以上に亘って設けられていることを特徴とする解決手段４に記載のスライドファスナー開閉用補助具。
【発明の効果】
【００１８】
本発明の解決手段１の発明によれば、衣服のスライドファスナーのスライダーの把手部分に繋着される繋着部と、展開折畳み自在で全体の長さが可変である連成部と、折畳まれた状態の連成部を収納できる収容部から構成され、連成部の至端に繋着部が連結されているので、背中にスライドファスナーのある衣服を、所謂四十肩、五十肩の人や高齢者等でも補助者の助けを借りることなく独力で着脱できる。
【００１９】
すなわち、スライドファスナーのスライダーが中間位置にあって最もスライダーの把手部分に手の届きにくい状況においても、スライダーの把手部分に繋着部が繋着され、連成部の至端に繋着部が連結されているので、着用者は、連成部の任意の部分を手に把持して、展開された連成部を介してスライダーの把手部分に繋着されている繋着部を引き上げることにより、用意にスライダーを引き上げることができる。すなわち、背中にスライドファスナーのある衣服を、所謂四十肩、五十肩の人や高齢者等でも補助者の助けを借りることなく独力で着脱できるものである。
【００２０】
本発明の解決手段２の発明によれば、繋着部が衣服のスライドファスナーのスライダーあるいはスライダーの把手部分に設けられた孔に挿入繋着可能な鉤状に構成されているので、衣服の着用者が、背中に手を回した状態で、スライドファスナーのスライダーあるいはスライダーの把手部分に手指の感触のみで簡単に着脱できる。すなわち、鉤状になった先端部分をスライドファスナーのスライダーあるいはスライダーの把手部分に設けられた孔に挿入するだけで繋着できるので、目視を必要とせず、手指の感触のみで繋着できるものである。同様に、鉤状の繋着部をスライダーあるいはスライダーの把手部分に設けられた孔から脱抜する際にも目視を必要とせず、手指の感触のみで脱抜できるものである。
【００２１】
本発明の解決手段３の発明によれば、連成部が複数のユニットを相互に回動自在に連結して構成されているので、複数のユニットの数を調整することにより、スライドファスナーのスライダーが中間位置にある場合においても手からスライダーまでの乖離距離を十分に補足するだけの延長が確保し得るものである。また、連成部が複数のユニットを相互に回動自在に連結して構成されているところから、連成部全体に可撓性が生じるので、撓みや曲折に耐えていかなる操作状況にも柔軟に対応でき、スライダーの引き上げや引き下ろしも極めて容易に行えるものである。
【００２２】
さらに、連成部を折畳んだ状態で複数のユニットが全て重なって連成部の全体が積層体として収容部に収容されるので、未使用時にはコンパクトに折畳んで小振りのハンドバッグにも簡単に収容できるサイズのものとすることができる。さらに、連成部は全てが収容部に収容されるので、紐のように他の小物と絡む懼れもない。また、連成部を構成する複数のユニットの個々のユニットは、軟質合成樹脂等の軽い素材を用いた薄板状とし得るので、全体として極めて軽量にすることが可能である。
【００２３】
また、複数のユニットの意匠や色彩を工夫することにより、連成部が折畳まれた状態にても展開された状態にても、意匠的にも洗練され、例えば洗面所等にて小振りのハンドバッグから取り出しても衆目に違和感を与えないような構成とすることができる。
【００２４】
本発明の解決手段４の発明によれば、収容部の側面の一部に収容部開閉機構が設けられて開閉自在に構成され、該収容部開閉機構により収容部の上板と下板が収容部の側面の収容部開閉機構が設けられていない部分を蝶番として開かれるので、折畳まれた状態で収容部に収容されている連成部を簡単に展開し、あるいは展開されていた連成部を簡単に折畳んで収容することができる。
【００２５】
本発明の解決手段５の発明によれば、収容部開閉機構がスライドファスナーであり、該スライドファスナーが収容部側面の半分以上に亘って設けられているので、折畳まれた状態の連成部を展開する際にも展開された連成部を折畳んで収容する場合にも極めて容易に且つ迅速に行えるものである。
【発明を実施するための最良の形態】
【００２６】
本発明を実施するための最良の形態を、以下に図面を参照しながら詳細に説明する。なお、以下に説明する実施例１のスライドファスナー開閉用補助具は、解決手段５に記載の発明の１実施例である。
【実施例１】
【００２７】
＜実施例１の構成＞
図１に、実施例１のスライドファスナー開閉用補助具１の連成部２が展開された状態の平面図を示す。３は先端が鉤状となった線材で構成された繋着部であり、４は正面４３と左側面４５と右側面４６にスライドファスナー４７が設けられた収容部である。
【００２８】
繋着部３の構成は図１、図２ａに示すとおりで、繋着部３は線材で構成されたリング３１に釣針状の鉤状先端３２が一体に固着されて構成され、リング３１は連成部２の連結片２１３の端部に穿設された孔ｈに挿通されている。
【００２９】
連成部２は、軟質合成樹脂の薄板からなる１２枚の環状のユニット２０１〜２１２を連結部Ｒにおいて連結ピンＰにより回動自在に連結して構成されている。１２枚の環状のユニット２０１〜２１２の詳細を図５ａ〜図５ｌに示す。
【００３０】
ユニット２０１は図５ａに見るように、軟質合成樹脂の薄板からなる環状の本体２０１ａの中心を通る直線ｘ上に上下対称になるように本体２０１ａから突片２０１ｂ、２０１ｃが本体２０１ａと一体に突設されていて、突片２０１ｂ、２０１ｃには夫々孔ｈが穿設されている。また、ユニット２０２は、図５ｂに見るように、軟質合成樹脂の薄板からなる環状の本体２０２ａの中心を通る直線ｘ上に本体２０２ａから突片２０２ｂが本体２０２ａと一体に突設され、且つ直線ｘに対して角度θ２＝３０°で交わる直線ｙ上に本体２０２ａから突片２０２ｃが本体２０２ａと一体に突設されていて、突片２０２ｂ、２０２ｃには夫々孔ｈが穿設されている。
【００３１】
ユニット２０３は図５ｃに見るようにユニット２０１と同形（反時計回りに３０°回転されている）で、本体２０３ａから突片２０３ｂ、２０３ｃが本体２０３ａと一体に突設されていて、突片２０３ｂ、２０３ｃには夫々孔ｈが穿設されている。ユニット２０４は図５ｄに見るようにユニット２０２と同形で（反時計回りに３０°回転されている）、本体２０４ａから突片２０４ｂ、２０４ｃが本体２０４ａと一体に突設されていて、突片２０４ｂ、２０４ｃには夫々孔ｈが穿設されている。
【００３２】
ユニット２０５は図５ｅに見るようにユニット２０１と同形（反時計回りに６０°回転されている）で、本体２０５ａから突片２０５ｂ、２０５ｃが本体２０５ａと一体に突設されていて、突片２０５ｂ、２０５ｃには夫々孔ｈが穿設されている。ユニット２０６は図５ｆに見るようにユニット２０２と同形で（反時計回りに６０°回転されている）、本体２０６ａから突片２０６ｂ、２０６ｃが本体２０６ａと一体に突設されていて、突片２０６ｂ、２０６ｃには夫々孔ｈが穿設されている。
【００３３】
ユニット２０７は図５ｇに見るようにユニット２０１と同形（反時計回りに９０°回転されている）で、本体２０７ａから突片２０７ｂ、２０７ｃが本体２０７ａと一体に突設されていて、突片２０７ｂ、２０７ｃには夫々孔ｈが穿設されている。ユニット２０８は図５ｈに見るようにユニット２０２と同形（反時計回りに９０°回転されている）で、本体２０８ａから突片２０８ｂ、２０８ｃが本体２０８ａと一体に突設されていて、突片２０８ｂ、２０８ｃには夫々孔ｈが穿設されている。
【００３４】
ユニット２０９は図５ｉに見るようにユニット２０１と同形（反時計回りに１２０°回転されている）で、本体２０９ａから突片２０９ｂ、２０９ｃが本体２０９ａと一体に突設されていて、突片２０９ｂ、２０９ｃには夫々孔ｈが穿設されている。ユニット２１０は図５ｊに見るようにユニット２０２と同形（反時計回りに１２０°回転されている）で、本体２１０ａから突片２１０ｂ、２１０ｃが本体２１０ａと一体に突設されていて、突片２１０ｂ、２１０ｃには夫々孔ｈが穿設されている。
【００３５】
ユニット２１１は図５ｋに見るようにユニット２０１と同形（反時計回りに１５０°回転されている）で、本体２１１ａから突片２１１ｂ、２１１ｃが本体２１１ａと一体に突設されていて、突片２１１ｂ、２１１ｃには夫々孔ｈが穿設されている。ユニット２１２は図５ｌに見るようにユニット２０２と同形（反時計回りに１５０°回転されている）で、本体２１２ａから突片２１２ｂ、２１２ｃが本体２１２ａと一体に突設されていて、突片２１２ｂ、２１２ｃには夫々孔ｈが穿設されている。
【００３６】
図２ａには、ユニット２０１〜２１２を折畳み積層した状態の平面図を示す。また、図２ｂにはユニット２０１〜２１２を折畳み積層した状態の正面図を示す。ユニット２０１〜２１２の連結構成の代表例として、ユニット２０７の突片２０７ｃとユニット２０８の突片２０８ｂの連結部Ｒの縦断面図を図３ａに示す。図３ａに見るように、突片２０７ｃの孔ｈと突片２０８ｂの孔ｈは同位置に重ねられてピンＰで回動自在に連結されている。
【００３７】
ピンＰは両端に皿状の頭部のある有頭枢軸で、ピンＰにより突片２０７ｃと突片２０８ｂが回動自在に連結され、これによりユニット２０７とユニット２０８も回動自在に連結されている。同様に、突片２０１ｃと突片２０２ｂが回動自在に連結されることによりユニット２０１とユニット２０２が回動自在に連結され、突片２０２ｃと突片２０３ｂが回動自在に連結されることによりユニット２０２とユニット２０３が回動自在に連結され、突片２０３ｃと突片２０４ｂが回動自在に連結されることによりユニット２０３とユニット２０４が回動自在に連結され、突片２０４ｃと突片２０５ｂが回動自在に連結されることによりユニット２０４とユニット２０５が回動自在に連結され、突片２０５ｃと突片２０６ｂが回動自在に連結されることによりユニット２０５とユニット２０６が回動自在に連結され、突片２０６ｃと突片２０７ｂが回動自在に連結されることによりユニット２０６とユニット２０７が回動自在に連結される。
【００３８】
また、前述のように、突片２０７ｃと突片２０８ｂが回動自在に連結されることによりユニット２０７とユニット２０８が回動自在に連結され、さらに、突片２０８ｃと突片２０９ｂが回動自在に連結されることによりユニット２０８とユニット２０９が回動自在に連結され、突片２０９ｃと突片２１０ｂが回動自在に連結されることによりユニット２０９とユニット２１０が回動自在に連結され、突片２１０ｃと突片２１１ｂが回動自在に連結されることによりユニット２１０とユニット２１１が回動自在に連結され、突片２１１ｃと突片２１２ｂが回動自在に連結されることによりユニット２１１とユニット２１２が回動自在に連結され、ユニット２０１〜２１２はこのようにしてすべての隣接するユニット同士が回動自在に連結されることにより全体が一連として連結された連成部２を構成する。
【００３９】
また、図５ａに示すように、ユニット２０１の突片２０１ｂにはピンＰを介して連結片２１３の一端が回動自在に連結される。連結片２１３の他端には、孔ｈに繋着部３のリング３１が挿通され、これにより、繋着部３は連結片２１３を介してユニット２０１に、さらには連成部２に連結されている。
【００４０】
連成部２は、ユニット２０１〜２１２を完全に折畳んで積層すれば、図２ａ、図２ｂのとおりのような状態となる。図２ａの平面図で、突片２０１ｃと２０２ｂ、２０２ｃと２０３ｂ、２０３ｃと２０４ｂ、２０４ｃと２０５ｂ、２０５ｃと２０６ｂ、２０６ｃと２０７ｂ、２０７ｃと２０８ｂ、２０８ｃと２０９ｂ、２０９ｃと２１０ｂ、２１０ｃと２１１ｂ、２１１ｃと２１２ｂ、さらに２１２ｃが花弁状に展開し、均整のとれた姿となる。また、連結片２１３は内側に折畳まれて、連結片２１３の先端の孔ｈに挿通された繋着部３は、ユニット２０１〜２１２の本体２０１ａ〜２１２ａの内部に形成される円筒状の空間Ｃに収容される。
【００４１】
図３ｂには、ユニット２１２が収容部４に回動自在に連結されている状態を示す。ユニット２１２の突片２１２ｃはピンＰＬにより収容部４の下板４２の隆起部分４２ａに回動自在に連結されている。ピンＰＬは両端に皿状の頭部を有する有頭枢軸で、直径はユニット２０１〜２１２を夫々連結しているピンＰと同一であるが、長さはピンＰより長く構成されている。
【００４２】
図４ａには収容部４の構成を示す（図１も合わせ参照されたい）。収容部４は、略正方形状の上板４１と下板４２が硬質素材（合成樹脂製あるいは木製あるいは金属製）からなり、正面４３、背面４４、左側面４５、右側面４６は一体として布あるいは軟質合成樹脂等の軟質素材から構成され、右側面４６、正面４３、左側面４５にかけては中央部分にスライドファスナー４７が装着されていて、上板４１と下板４２が開閉自在となるように構成されている。すなわち、スライドファスナー４７を全開にすると、背面４４が蝶番の役割を果たして上板４１と下板４２が０°〜１８０°以上の角度をもって開かれるものである。
【００４３】
図４ｂには収容部の別の形態である収容部５の構成を示す。略円形状の上板５１と下板５２が硬質素材（合成樹脂製あるいは木製あるいは金属製）からなり、側面５３は布あるいは軟質合成樹脂等の軟質素材から構成され、側面５３の半分以上の中央部分にスライドファスナー５４が装着されていて、スライドファスナー５４が装着されていない部分の側面５３が蝶番の役割を果たして、上板５１と下板５２が０°〜１８０°以上の角度をもってで開かれるものである。
【００４４】
＜実施例１の作用＞
実施例１のスライドファスナー開閉用補助具１の使用に際しては、図７ａ、図７ｂに示すように、スライドファスナーＳＦのスライダーＳが最下位置にある状態で、係着部３の鉤状先端３２の先端３２ａをスライダーＳの把手部分Ｓｈの孔Ｈ１に繋着する。この場合、孔Ｈ１は把手部分Ｓｈの端部に穿設されているが、端部に孔Ｈ１が穿設されていない把手部分Ｓｈの場合には、把手部分ＳｈをスライダーＳに連結している孔Ｈ２を利用する。この孔Ｈ２が穿設されていないスライダーＳはまずないので、実施例１のスライドファスナー開閉用補助具１は略全てのスライドファスナーに使用できるものである。
【００４５】
次に、図７ｃに示すように、連成部２を適当な長さに展開した状態にて、収容部４を手に把持して引き上げる。すると、連成部２に連結された繋着部３も引き上げられ、繋着部３に繋着されたスライダーＳの把手部分Ｓｈも引き上げられ、結果としてスライドファスナーＳＦは閉じられていく。この際、図７ｃに見るように、上腕ａ１、下腕ａ２、は肩ｋよりも高い位置にくるため、図６ｆに示す原理で、肩ｋに無理な負担がかかることなく楽に引き上げができるものである。
【００４６】
図７ｄはスライドファスナーＳＦが完全に閉じられた状態を示す。この状態で、手はスライダーＳの把手部分Ｓｈにまで届くので（図６ｅ、図６ｆ参照）、係着部３の鉤状先端３２の先端３２ａ（図７ｂ参照）をスライダーＳの把手部分Ｓｈの孔Ｈ１から脱抜する。これにて、スライドファスナーＳＦを閉じる工程は終了となるので、後は連成部２と繋着部３を収容部４内に収容し、スライドファスナー４７（図４ａ参照）を閉じて収容部４をバッグ（図示せず）に格納すれば終了となる。なお、スライドファスナーＳＦを開く場合には、上記の逆の行程を辿れば良い。
【産業上の利用可能性】
【００４７】
本発明は、叙上のような構成であるので、所謂四十肩、五十肩の人や高齢者はもとより、なんらかの障害で手が背中まで届きにくくなった人に大きな福音を齎すものである。上記実施例１にては、連成部は１２枚のユニットからなっていたが、ユニット数の増減は適宜可能であって、例えばユニット数を８枚とすれば、図５ｂにおける角度θ２は４５°となる。また、ユニット数を６枚とすれば、図５ｂにおける角度θ２は６０°となる。逆に、ユニット数を１８枚に増やすと図５ｂにおける角度θ２は２０°となる。このように、様々な展開が可能である。
【００４８】
また、ユニットのそれぞれに異なる色彩の素材を用いる等の意匠上の工夫により、女性の持ち物としての価値をさらに高めることも可能である。また、ユニットの形態も、リング状ばかりではなく、方形や５角、６角、ハート型等様々な趣向を凝らすこともむろん可能であり、その場合、展開されたときの形態、折畳まれたときの形態も変化に富んだものとなるので、補助具としてのどちらかといえば暗いイメージでは全くなく、装身具の一環としての明るいイメージで、いわばお洒落を楽しむ感覚で用いることができるものである。
【図面の簡単な説明】
【００４９】
【図１】本発明の実施例１のスライドファスナー開閉用補助具の連成部を展開した状態の平面図である。
【図２】（ａ）本発明の実施例１のスライドファスナー開閉用補助具の折畳まれた状態の連成部と繋着部の平面図である。（ｂ）本発明の実施例１のスライドファスナー開閉用補助具の折畳まれた状態の連成部と繋着部の正面図である。
【図３】（ａ）図２ａのＡ−Ａ線拡大縦断面図である。（ｂ）図２ａのＢ−Ｂ線拡大縦断面図である。
【図４】（ａ）本発明の実施例１のスライドファスナー開閉用補助具の外観斜視図である。    （ｂ）本発明の実施例１のスライドファスナー開閉用補助具の別の形態を示す外観斜視図である。
【図５】（ａ）本発明の実施例１のスライドファスナー開閉用補助具の繋着部と連成部の１ユニットの平面図である。    （ｂ）本発明の実施例１のスライドファスナー開閉用補助具の連成部の１ユニットの平面図である。    （ｃ）本発明の実施例１のスライドファスナー開閉用補助具の連成部の１ユニットの平面図である。    （ｄ）本発明の実施例１のスライドファスナー開閉用補助具の連成部の１ユニットの平面図である。    （ｅ）本発明の実施例１のスライドファスナー開閉用補助具の連成部の１ユニットの平面図である。    （ｆ）本発明の実施例１のスライドファスナー開閉用補助具の連成部の１ユニットの平面図である。    （ｇ）本発明の実施例１のスライドファスナー開閉用補助具の連成部の１ユニットの平面図である。    （ｈ）本発明の実施例１のスライドファスナー開閉用補助具の連成部の１ユニットの平面図である。    （ｉ）本発明の実施例１のスライドファスナー開閉用補助具の連成部の１ユニットの平面図である。    （ｊ）本発明の実施例１のスライドファスナー開閉用補助具の連成部の１ユニットの平面図である。    （ｋ）本発明の実施例１のスライドファスナー開閉用補助具の連成部の１ユニットの平面図である。    （ｌ）本発明の実施例１のスライドファスナー開閉用補助具の連成部の１ユニットの平面図である。
【図６】（ａ）背中にスライドファスナーのある衣服のスライドファスナーを閉めようとしている状態を説明する説明図である。    （ｂ）図６ａの状態を模式的に表現した模式図である。    （ｃ）背中にスライドファスナーのある衣服のスライドファスナーを閉めようとしている状態を説明する説明図である。    （ｄ）図６ｃの状態を模式的に表現した模式図である。    （ｅ）背中にスライドファスナーのある衣服のスライドファスナーを閉めようとしている状態を説明する説明図である。    （ｆ）図６ｅの状態を模式的に表現した模式図である。
【図７】（ａ）本発明の実施例１のスライドファスナー開閉用補助具の作用を説明する説明図である。    （ｂ）図７ａの要部の拡大図である。    （ｃ）本発明の実施例１のスライドファスナー開閉用補助具の作用を説明する説明図である。    （ｄ）本発明の実施例１のスライドファスナー開閉用補助具の作用を説明する説明図である。
【符号の説明】
【００５０】
１      スライドファスナー開閉用補助具
２      連成部
２０１  ユニット
２０１ａ  本体
２０１ｂ  突片
２０１ｃ  突片
２０２  ユニット
２０２ａ  本体
２０２ｂ  突片
２０２ｃ  突片
２０３  ユニット
２０３ａ  本体
２０３ｂ  突片
２０３ｃ  突片
２０４  ユニット
２０４ａ  本体
２０４ｂ  突片
２０４ｃ  突片
２０５  ユニット  
２０５ａ  本体
２０５ｂ  突片
２０５ｃ  突片
２０６  ユニット
２０６ａ  本体
２０６ｂ  突片
２０６ｃ  突片
２０７  ユニット
２０７ａ  本体
２０７ｂ  突片
２０７ｃ  突片
２０８  ユニット
２０８ａ  本体
２０８ｂ  突片
２０８ｃ  突片
２０９  ユニット
２０９ａ  本体
２０９ｂ  突片
２０９ｃ  突片
２１０  ユニット
２１０ａ  本体
２１０ｂ  突片
２１０ｃ  突片
２１１  ユニット
２１１ａ  本体
２１１ｂ  突片
２１１ｃ  突片
２１２  ユニット
２１２ａ  本体
２１２ｂ  突片
２１２ｃ  突片
２１３  連結片
３      繋着部
３１    リング
３２    鉤状先端
４      収容部
４１    上板
４２    下板
４２ａ  肉厚部分
４３    正面
４４    背面
４５    左側面
４６    右側面
４７    スライドファスナー
５      収容部
５１    上板
５２    下板
５３    側面
５４    スライドファスナー
Ｃ      空間
Ｄ      衣服
Ｈ１    孔
Ｈ２    孔
Ｐ      ピン
ＰＬ    ピン
Ｒ      連結部
Ｓ      スライダー
ＳＦ    スライドファスナー
Ｓｈ    把手部分
ａ１    上腕
ａ２    下腕
ｃ      中心線
ｄ１    距離
ｄ２    距離
ｈｊ      肘
ｈ      孔
ｋ      肩
ｐ      手
ｘ      直線
ｙ      直線
θ１    角度
θ２    角度
【図１】
2006280847.tif 000003
【図２】
2006280847.tif 000004
【図３】
2006280847.tif 000005
【図４】
2006280847.tif 000006
【図５】
2006280847.tif 000007
【図６】
2006280847.tif 000008
【図７】
2006280847.tif 000009